(57)【要約】【課題】扉体への不正操作に対する耐性を高めて防犯性能を向上させた錠装置の提供を目的とする。  【解決手段】錠ケース１内に、  ストライク孔２に進退するデッドボルト３と、  デッドボルト３の背面側に積層配置され、デッドボルト３のストライク孔２への進出動に同期して反対方向に回転してストライク孔２の上下縁に係止する一対の鎌片４とを収容して構成する。【選択図】  図２
2006045896.tif 000002
【特許請求の範囲】
【請求項１】
錠ケース内に、
ストライク孔に進退するデッドボルトと、
デッドボルトの背面側に積層配置され、デッドボルトのストライク孔への進出動に同期して反対方向に回転してストライク孔の上下縁に係止する一対の鎌片とを収容してなる錠装置。
【請求項２】
前記鎌片は錠ケースに回転自在に軸支される請求項１記載の錠装置。
【発明の詳細な説明】
【技術分野】
【０００１】
本発明は、錠装置に関するものである。
【背景技術】
【０００２】
施錠動作とともに鎌片を錠ケース外に移動させて相手方ストライクに係止させる錠装置としては、特許文献１に記載のものが知られている。この従来例において、錠ケース内には相手側ストライクに向けて並進移動するデッドボルトと、デッドボルトのストライクへの挿入側先端部を切り欠き、デッドボルトの板厚方向に回転自在な２個の鎌片とが収容される。
【０００３】
施錠操作を行うと、デッドボルトがストライク孔内に進入するとともに、デッドボルトの突出動作によって鎌片の一端が錠ケースの内壁に干渉して回転し、ストライクの左右縁に係止する。
【特許文献１】実開昭４８-１０８９６号公報
【発明の開示】
【発明が解決しようとする課題】
【０００４】
しかし、上述した従来例において、鎌片はデッドボルトの先端部を切り欠いて収容されるために、デッドボルトの強度低下を惹起する。また、ロック状態においてストライク孔の左右側縁に係止するように構成されるために、室外から鎌片を直接操作することが可能であり、防犯性能に劣るという問題がある。
【０００５】
本発明は、以上の欠点を解消すべくなされたものであって、扉体への不正操作に対する耐性を高めて防犯性能を向上させた錠装置の提供を目的とする。  
【課題を解決するための手段】
【０００６】
本発明によれば上記目的は、
錠ケース１内に、
ストライク孔２に進退するデッドボルト３と、
デッドボルト３の背面側に積層配置され、デッドボルト３のストライク孔２への進出動に同期して反対方向に回転してストライク孔２の上下縁に係止する一対の鎌片４とを収容してなる錠装置を提供することにより達成される。
【０００７】
錠装置は、錠ケース１内に収容されるデッドボルト３を有し、該デッドボルト３を相手側、例えば扉框等に形成されたストライク孔２に進退させて扉体Ｄを施解錠する。鎌片４はフック部４ａを有してデッドボルト３の背面に２個が積層状で、かつフック部４ａを背向させて配置され、デッドボルト３の進退動に伴って反対方向に回転する。
【０００８】
図３（ｂ）に示すように、鎌片４は、デッドボルト３がストライク孔２に挿入する施錠位置においてフック部４ａがストライク孔２の上縁、あるいは下縁に係止する。この状態において、ストライクをバール等の工具を使用して変形させても鎌片４の係止を解除することができないために扉体Ｄを不正に開放することができない。
【０００９】
また、扉体Ｄを上下方向に強引に移動させて鎌片４の係止を解除しようとしても、反対方の鎌片４が係止状態を保持し、両者を同時に係止解除することが不可能であるために、開扉操作は不能となり、さらに、デッドボルト３が室外側に位置するように錠装置を設置した場合には、２個の鎌片４はデッドボルト３により覆われた状態となるために、鎌片４への直接操作が不能になる。
【００１０】
したがってこの発明において、種々のモードによる不正開扉操作に対する耐性を高めることができるために、防犯性能を向上させることができる。  
【発明の効果】
【００１１】
本発明によれば、扉体への不正操作に対する耐性が高まるために、防犯性能を向上させることができる。
【発明を実施するための最良の形態】
【００１２】
図１ないし３に扉体Ｄの室内側壁面に固定されて使用される錠装置として構成された本発明の実施の形態を示す。図１において１は錠ケースであり、ボックス形状のケース本体１ａの開放部を底板１ｂで閉塞して形成され、ケース本体１ａの開放端縁を扉体Ｄの室内側表面に当接させた状態で固定される。
【００１３】
錠ケース１内には、室内側リンクプレート５Ａと、室外側リンクプレート５Ｂとが収容される。室外側リンクプレート５Ｂは底板錠ケース１の底板１ｂに回転自在に支持され、底板１ｂから錠ケース１外に突出する連結軸６がシリンダ錠Ｃに連結される。
【００１４】
室内側リンクプレート５Ａは、錠ケース１の室内側壁面に固定されるサムターンＴの操作軸Ａに連結されて上記室外側リンクプレート５Ｂと同軸上に回転自在に保持される。
【００１５】
これら室内外側のリンクプレート５Ａ、５Ｂは、連結ピン７により連結され、いずれか一方への回転操作力の付与により他方も同期して回転する。シリンダ錠Ｃ内のプラグ（図示せず）を回転させることなくサムターンＴへの回転操作を可能にするために、上記連結軸６とシリンダ錠Ｃとの間には適宜の空転領域が設定される。また、室内側リンクプレート５Ａには、後述するデッドボルト３を施解錠位置に節度停止させるためのクリックスプリング８が装着される。
【００１６】
上記室内側のリンクプレート５Ａ、５Ｂに挟まれるようにして、デッドボルト３と２枚の鎌片４が装着される。デッドボルト３は、図２に示すように矩形の板体であり、図３（ａ）に示す解錠位置と、図３（ｂ）に示す施錠位置において錠ケース１に衝接してオーバーストロークを禁止するためのストッパ突起３ａを備える。
【００１７】
図２（ｂ）に示すように、デッドボルト３には、カム孔３ｂが開設され、上記連結ピン７が挿通される。カム孔３ｂは、上記リンクプレート５Ａ、５Ｂに対する回転操作力をデッドボルト３の並進操作力に変換するもので、リンクプレート５Ａ、５Ｂの回転時における縦方向、すなわち、デッドボルト３進退方向に直交する方向の変位を吸収するように、縦長の長孔に形成される。
【００１８】
また、カム孔３ｂの下方終端部には、デッドボルト３が施錠、あるいは解錠位置にあるときに連結ピン７が落ち込む凹部３ｃが設けられ、当該位置にあるデッドボルト３に錠ケース１内に押し込む力が付与されても、リンクプレート５Ａ、５Ｂに当該方向の移動に対応する回転分力が発生しないように配慮される。
【００１９】
以上のように構成されるデッドボルト３は、鎌片４に対する室外側からの不正操作を防止するために鎌片４を覆う大きさに形成され、かつ、２枚の鎌片４より室外側に配置される。
【００２０】
鎌片４は、直交する２個のフック部４ａを備えて錨状に形成される板状体で、基端部が錠ケース１に立設される２個の軸部１ｃの各々に空転自在に軸支される。軸部１ｃは錠ケース１内で縦方向に並べられ、軸部１ｃに連結された状態で２枚の鎌片４は室内外方向に積層状で、かつ、デッドボルト３の移動中心線に対して線対称姿勢に配置される。
【００２１】
これら２枚の鎌片４のうち一方（この実施の形態においては上方に配置される鎌片４Ａ）にはリンク連動用カム孔４ｂが開設されて上記連結ピン７が挿通する。リンク連動用カム孔４ｂは、鎌片４の回転中心から放射方向に長い長孔により形成され、リンクプレート５Ａ、５Ｂの回転はリンク連動用カム孔４ｂを介してこの鎌片４Ａの回転力として伝達される。
【００２２】
この鎌片４Ａには鎌片連結ピン４ｃが立設され、他方の鎌片４Ｂに開設された鎌片連動用カム孔４ｄに挿通される。鎌片連動用カム孔４ｄは、鎌片４Ｂの回転中心から放射方向に長い長孔により形成され、一方の鎌片４Ａの回転は鎌片連動用カム孔４ｄを介してこの鎌片４Ｂの回転力として伝達される。
【００２３】
したがってこの実施の形態において、図３（ａ）に示すように鎌片４とデッドボルト３が相手側ストライク孔２から退避した状態が解錠状態に対応する。この状態からサムターンＴ、あるいはシリンダ錠Ｃを施錠側に回転させると、リンクプレート５Ａ、５Ｂが図３（ａ）において時計回りに回転する。リンクプレート５Ａ、５Ｂの回転によりデッドボルト３は、連結ピン７により図３（ａ）において右側に移動し、図３（ｂ）に示すように、ストライク孔２内に進入する。
【００２４】
同時に一方の鎌片４Ａには、連結ピン７を介して図３（ａ）において反時計回りの回転力が与えられ、これに同期して他方の鎌片４Ｂは時計回りに回転する。デッドボルト３がストライク孔２に完全に挿入するタイミングで、鎌片４Ａ、４Ｂのフック部４ａはストライク孔２の上下縁に係止し、この状態で、バールによるストライク孔２の変形、あるいは扉体Ｄに対する押し上げ、押し下げ操作によっても、鎌片４およびデッドボルト３の双方をストライク孔２から脱離させることができなくなる。
【００２５】
さらに、この実施の形態において、錠装置はロック部９を備える。ロック部９は、室内側からの設定によりデッドボルト３等をロックして室外からの不正操作を完全に遮断するために設けられるもので、錠ケース１内に収容されるストッパブロック１０を有する。
【００２６】
図１に示すように、ストッパブロック１０は、錠ケース１の室内側壁面に開設された操作開口１ｄから突出する操作ボタン部１０ａを備え、錠ケース１に対して上下方向摺動自在に保持される。このストッパブロック１０には、圧縮スプリング１０ｂにより飛び出し方向に付勢されるクリックボール１０ｃが保持され、ストッパブロック１０が両ストローク終端位置に達した際に錠ケース１側のクリック凹部１ｅに落ち込んでストッパブロック１０を節度停止させる。
【００２７】
さらに、図２、３に示すように、一方の鎌片４Ａの基端部には、ストッパブロック１０の下端に形成される楔状断面部１０ｄが嵌合可能な切欠４ｅが設けられる。切欠４ｅは鎌片４Ａの基端部の外周に２箇所形成され、鎌片４Ａが施錠位置か解錠位置のいずれかに位置しているときにストッパブロック１０の楔状断面部に正対する。
【００２８】
したがってこの実施の形態において、施錠状態のときにストッパブロック１０を降下させると、楔状断面部が鎌片４Ａの切欠４ｅに係合する。この状態で、一方の鎌片４Ａの回転が規制されるために、これに連結される他方の鎌片４Ｂ、デッドボルト３およびリンクプレート５Ａ、５Ｂの回転が規制され、結果、室内外からの錠装置の操作が一切不能となる。
【００２９】
なお、以上においては、扉体Ｄの表面に固定される錠装置を例にとって本発明を説明したが、扉体Ｄ内に埋設するように構成することも可能である。また、図においてサムターンＴは錠ケース１に直接固定される場合を示したが、例えばサムターンＴを扉体Ｄ等に固定し、操作軸Ａの挿通部を錠装置に配置することも可能である。
【図面の簡単な説明】
【００３０】
【図１】本発明を示す断面図である。
【図２】図１の断面図で、（ａ）は図１の２Ａ-２Ａ線断面図、（ｂ）は２Ｂ-２Ｂ線断面図、（ｃ）は２Ｃ-２Ｃ線断面図、（ｄ）は２Ｄ-２Ｄ線断面図である。
【図３】本発明の動作を示す説明図で、（ａ）は解錠状態、（ｂ）は施錠状態を示す図である。
【符号の説明】
【００３１】
１        錠ケース
２        ストライク孔
３        デッドボルト
４        鎌片
【図１】
2006045896.tif 000003
【図２】
2006045896.tif 000004
【図３】
2006045896.tif 000005